(57)【要約】本発明は、蛍光の出力を発生するための少なくとも１つの集光板を備えるハイブリッド照明システムを提供する。集光板は、入射太陽光を吸収して蛍光を放出するように構成される分散染料分子を添加した光透過性材料を含む。ハイブリッド照明システムは、使用時に、集光板の出力を補足して所定のスペクトル特性の光を提供する、少なくとも１つの電気駆動式の発光デバイスも備える。
2006506774.tif 000002
【特許請求の範囲】
【請求項１】
蛍光の出力を発生するための少なくとも１つの集光板であって、入射光を吸収して蛍光を放出するように構成される分散染料分子を添加した光透過性材料を含む、少なくとも１つの集光板と、
使用時に、前記集光板の前記出力を補足して所定のスペクトル特性の光を提供する、少なくとも１つの電気駆動式の発光デバイスと
を備える、ハイブリッド照明システム。
【請求項２】
前記電気駆動式の発光デバイスは、前記放出される蛍光に該電気駆動式の発光デバイスからの光が付加されることによって所定の色を有する光が生じるように、少なくとも１つの特定の色の光を提供することにより、放出される蛍光放射を補足するように構成される、請求項１に記載のハイブリッド照明システム。
【請求項３】
前記所定の色は、白色である、請求項２に記載のハイブリッド照明システム。
【請求項４】
使用時に緑色蛍光を放出する集光シートを備え、該緑色蛍光は、赤色および青色発光デバイスにより補足される、請求項１乃至３の内のいずれか１項に記載のハイブリッド照明システム。
【請求項５】
前記青色発光デバイスは、該ハイブリッド照明システムが発生するルーメンの総量の約２〜２０％を放出するように構成され、前記赤色発光デバイスは、該ハイブリッド照明システムが発生するルーメンの総量の約１５〜３０％を放出するように構成される、請求項４に記載のハイブリッド照明システム。
【請求項６】
緑色光および赤色光を放出する集光シートを備え、使用時に、前記緑色蛍光および赤色蛍光は、青色発光デバイスからの光により補足される、請求項１乃至３の内のいずれか１項に記載のハイブリッド照明システム。
【請求項７】
前記青色発光デバイスは、該ハイブリッド照明システムが発生するルーメンの総量の約２〜２０％を放出するように構成される、請求項６に記載のハイブリッド照明システム。
【請求項８】
前記集光板および前記電気駆動式の発光デバイスからの光を導くように構成される光ケーブルを備える、請求項１乃至７の内のいずれか１項に記載のハイブリッド照明システム。
【請求項９】
白色光の発生に必要な３色のうちの１つが、電気駆動式の光源により発生され、前記光ケーブルは、使用時に該光ケーブルを通して光が導かれる、前記白色光の発生のための全色を集光シートが発生する照明システムと比較して約１／３に縮小された断面積を有する、請求項１乃至３の内のいずれか１項に従属する場合の請求項８に記載のハイブリッド照明システム。
【請求項１０】
前記色のうちの２つが、電気駆動式の光源により発生され、前記光ケーブルは、使用時に該光ケーブルを通して光が導かれる、前記白色光の発生のための全色を集光シートが発生する照明システムと比較して約２／３に縮小された断面積を有する、請求項１乃至３の内のいずれか１項に従属する場合の請求項８に記載のハイブリッド照明システム。
【請求項１１】
前記電気駆動式の発光デバイスは、前記出力の強度不足を補足するようにも構成される、請求項１乃至１０の内のいずれか１項に記載のハイブリッド照明システム。
【請求項１２】
赤色光、緑色光、および青色光を放出するように構成される複数の電気駆動式の発光デバイスを備える、請求項１乃至３の内のいずれか１項に従属する場合の請求項１１に記載のハイブリッド照明システム。
【請求項１３】
少なくとも１つの導光体を備え、前記電気駆動式の発光デバイスは、プリズムによって前記導光体に結合される、請求項１乃至１２の内のいずれか１項に記載のハイブリッド照明システム。
【請求項１４】
少なくとも１つの導光体を備え、前記電気駆動式の発光デバイスは、光ファイバによって前記導光体に結合される、請求項１乃至１２の内のいずれか１項に記載のハイブリッド照明システム。
【請求項１５】
少なくとも１つの導光体を備え、前記電気駆動式の発光デバイスは、レンズによって前記導光体に結合される、請求項１乃至１２の内のいずれか１項に記載のハイブリッド照明システム。
【請求項１６】
前記電気駆動式の発光デバイスは、前記導光体のそれぞれに埋め込まれる、請求項１乃至１５に内のいずれか１項に記載のハイブリッド照明システム。
【請求項１７】
前記電気駆動式の発光デバイスは、前記導光体のそれぞれに結合された各光透過性シートに結合される、請求項１乃至１５の内のいずれか１項に記載のハイブリッド照明システム。
【請求項１８】
光を放出するように構成される照明器具を備え、前記電気駆動式の発光デバイスからの光は、前記照明器具内で前記集光シートからの光と混合される、請求項１乃至１５の内のいずれか１項に記載のハイブリッド照明システム。
【請求項１９】
前記集光シートは、別個の導光体を介在させることなく前記照明器具に結合される、請求項１８に記載のハイブリッド照明システム。
【請求項２０】
前記電気駆動式の発光デバイスは、光を放出するために用いられるとともに前記導光体が結合される照明器具に取り付けられる、請求項１乃至１５の内のいずれか１項に記載のハイブリッド照明システム。
【請求項２１】
前記電気駆動式の発光デバイスは、光を放出するために用いられるとともに前記導光体が結合される照明器具に隣接して取り付けられる、請求項１乃至１５の内のいずれか１項に記載のハイブリッド照明システム。
【請求項２２】
前記電気駆動式の発光デバイスは、バッテリーにより駆動される、請求項１乃至２１の内のいずれか１項に記載のハイブリッド照明システム。
【請求項２３】
前記電気駆動式の発光デバイスは、太陽電池により駆動される、請求項１乃至２１の内のいずれか１項に記載のハイブリッド照明システム。
【請求項２４】
前記バッテリーは、太陽電池により充電される、請求項２２に記載のハイブリッド照明システム。
【請求項２５】
前記電気駆動式の発光デバイスの前記出力は、前記集光板からの前記出力と組み合わせて、制御された色合いの光を発生するように制御可能である、請求項１乃至２４の内のいずれか１項に記載のハイブリッド照明システム。
【請求項２６】
前記出力の特性は電子的に制御される、請求項１乃至２５の内のいずれか１項に記載のハイブリッド照明システム。
【請求項２７】
使用時に補足される前記特定の色の２つ以上の発光デバイスを備える、請求項２または請求項２に従属する場合の請求項３乃至２６の内のいずれか１項に記載のハイブリッド照明システム。
【請求項２８】
前記発光デバイスは、発光ダイオード（ＬＥＤ）である、請求項１乃至２７の内のいずれか１項に記載のハイブリッド照明システム。
【発明の詳細な説明】
【技術分野】
【０００１】
［発明の分野］
本発明は、概して照明システムに関し、特に、限定はしないが、昼光集光システムに関する。
【０００２】
［発明の背景］
電気照明システムは、多くの場合に非常に非効率的であり、通常は９０％を超える電気エネルギーが有用な光に変換されない。しかしながら、太陽光は、自由に利用可能であり、照明目的のために太陽光を集光するという試みがなされてきた。
【０００３】
米国特許第６０５９４３８号明細書は、太陽光集光および伝送システムを開示している。この開示されたシステムは、３つのほぼ平坦な集光シートを備える。３つのシートは、互いに積み重ねられており、染料分子を添加した高分子材料からなる。染料分子は、特定波長の太陽光を吸収し、続いて、わずかにより長い波長を有する蛍光を放出する。第１シートには、青色発光染料分子が添加され、第２シートには、緑色染料分子が添加され、第３シートには、赤色または橙赤染料分子が添加される。発生した蛍光は、集光シート内での内部全反射によって導かれ、また、赤色、緑色および青色蛍光を組み合わせることによって、白色光を発生することができる。この太陽光集光および伝送システムの利点の１つは、入射光の吸収が全入射方向である程度の効率で起き、蛍光の放出が任意の方向で起きることである。したがって、そのようなシステムの効率は、入射太陽光が拡散反射されるかあるいは鏡面反射される（すなわち太陽からの正反射）かにほとんど左右されない。
【０００４】
放出される光のルーメンに主に寄与するのは、緑色スペクトル域である。人間の目は、赤色光および青色光に対する感度がかなり低い。したがって、通常のシステムでは、主な光の量は、緑色光を放出する染料分子を添加した集光板により提供され、赤色光または青色光を放出する染料分子を添加した集光板が提供するルーメンは、通常、それよりも小さい。しかしながら、白色光を発生するために、赤色光および青色光の少なくともある程度のルーメン出力が必要とされる。
【０００５】
［発明の概要］
本発明は、第１の態様において、
蛍光の出力を発生するための少なくとも１つの集光板であって、入射太陽光を吸収して蛍光を放出するように構成される分散染料分子を添加した光透過性材料を含む、少なくとも１つの集光板と、
使用時に、集光板の出力を補足して所定のスペクトル特性の光を提供する、少なくとも１つの電気駆動式の（electrically powered）発光デバイス（light emitting device）と
を備える、ハイブリッド照明システムを提供する。
【０００６】
上記電気駆動式の発光デバイスは、放出される蛍光に当該電気駆動式の発光デバイスからの光が付加されることによって所定の色を有する光が生じるように、少なくとも１つの特定の色の光を提供することにより、放出される蛍光放射を補足するように構成され得る。所定の色は、通常は白色である。
【０００７】
例えば、ハイブリッド照明システムは、緑色蛍光を放出する集光シートを備えていてもよい。緑色蛍光は、使用時に、発光ダイオード（ＬＥＤ）等の赤色および青色発光デバイスによって補足されて、白色光を発生することができる。この場合、青色ＬＥＤ装置（arrangement）は、システムが発生する総量の約２〜２０％を放出するように構成することができ、赤色ＬＥＤ装置は、システムが発生するルーメンの総量の約１５〜３０％を放出するように構成することができる。
【０００８】
別法として、ハイブリッド照明システムは、緑色光および赤色光を放出する集光シートを備えていてもよい。緑色蛍光および赤色蛍光は、使用時に、ＬＥＤ等の青色発光デバイスにより補足されて、白色光を発生することができる。この場合、システムが発生するルーメンの総量の約２〜２０％のみが青色発光デバイスから必要とされる。この構成は、青色光の放出に集光板を必要としないという特定の利点を有する。青色蛍光染料は、良好な量子変換効率を有さない場合が多く、通常は、ＵＶ光を当てる必要がある（太陽光は、比較的少量のＵＶ光成分しか含まない）。さらに、青色染料分子には、安定性の問題がある場合が多い。したがって、比較的小さい強度の青色光でさえも、発生することは困難であり得る。そのため、発光ダイオード（ＬＥＤ）等の電気駆動式の発光デバイスからの青色光で蛍光を補足することにより、白色光の発生を促すことができる。
【０００９】
放出される蛍光が電気駆動式の発光デバイスからの青色光で補足されれば、演色を改善することもできる。或るタイプの染料の分解が遅いために別のタイプの染料に対して出力が変わる場合に、放出される光の色および強度の経時的な変化が生じる場合もある。
【００１０】
青色発光デバイスを備える装置は、白色光の発生に２つの集光板しか必要なく、ハイブリッド照明システムが簡略化され、特にこの場合、関連する導光体がより低コストであり、断面が小さく、かつより高い柔軟性を有するため、コストが低減されるというさらなる利点を有する。
【００１１】
このようなハイブリッドシステムでは、およそ１０００ルーメンの白色光の発生に必要な電気エネルギーが比較的少ないため、低コストである。これとは反対に、太陽電池および電気駆動式の発光デバイスを用いて１０００ルーメンの白色光を発生するには、約３０Ｗの電力が必要であり、必要な太陽電池および電気駆動式の発光デバイスは、比較的高価である。
【００１２】
特定の一実施形態では、ハイブリッド照明システムは、上記集光板および上記電気駆動式の発光デバイスからの光を導くように構成される光ケーブルを備える。この実施形態では、白色光の発生に必要な３色のうちの１つが、電気駆動式の光源により発生される。この場合、光ケーブルは、使用時に光が導かれる、白色光の発生のための全色を集光シートが発生する照明システムと比較して約１／３に縮小された断面積を有することができる。
【００１３】
別の例では、色のうちの２つが、電気駆動式の光源により発生される。この場合、光ケーブルは、使用時に光が導かれる、白色光の発生のための全色を集光シートが発生する照明システムと比較して約２／３に縮小された断面積を有することができる。
【００１４】
上記電気駆動式の発光デバイスは、出力の強度不足を補足するように構成することもできる。スペクトル特性の補足に加えて、電気駆動式の発光デバイスは、放出される蛍光放射の色範囲と同じ色範囲内の光を提供するように構成することもできる。この場合、ハイブリッド照明システムは、赤色光、緑色光、および青色光を放出するように構成される電気駆動式の発光デバイスを備えることができ、ハイブリッド照明システムは、幾つかのこれらの色の光を放出するように構成される集光板を備えることができる。この場合、昼間は集光板を用いて照明を提供し、発光デバイスの少なくとも１つによりこれを補足させることができ、夜間は電気駆動式の発光デバイスを用いて照明を提供する。例えば、昼間は、緑色蛍光が集光板により提供されて、赤色および青色の電気駆動式の発光デバイスから放出される光により補足され、夜間は、電気駆動式の発光デバイスからのみ光が提供される。
【００１５】
ハイブリッド照明システムは、少なくとも１つの導光体を備えていてもよく、上記電気駆動式の発光デバイスは、プリズム、光ファイバ、またはレンズによって上記導光体に結合することができる。上記電気駆動式の発光デバイスは、上記導光体のそれぞれに埋め込むこともできる。場合によっては、上記電気駆動式の発光デバイスは、上記導光体に結合される各光透過性シートに結合される。
【００１６】
ハイブリッド照明システムは、光を放出するように構成される照明器具（luminaire）を備えていてもよく、上記電気駆動式の発光デバイスからの光は、照明器具内で上記集光シートからの光と混合することができる。上記集光シートは、別個の導光体を介在させることなく、照明器具に結合することができる。
【００１７】
例えば、上記電気駆動式の発光デバイスは、光を放出するために用いられると共に上記導光体が結合されることができる照明器具の中に取り付けられていても照明器具に隣接していてもよい。何れの場合も、電気駆動式の発光デバイスからの光および蛍光は、互いに付加されるように、結合が行われ得る。
【００１８】
上記電気駆動式の発光デバイスは、バッテリーまたは別のエネルギー蓄積デバイスにより駆動することができる。上記電気駆動式の発光デバイスは、太陽電池により駆動することもできる。別法として、バッテリーまたは他の蓄積デバイスを太陽電池により充電してもよく、ハイブリッド照明システムは、独立型の２４時間照明またはオンデマンド照明（lighting-on-demand）を提供するように構成してもよい。
【００１９】
上記電気駆動式の発光デバイスの出力は、上記集光板の出力と組み合わせて、制御された色合いの光を発生するように制御可能であってもよい。
【００２０】
上記電気駆動式の発光デバイスからの光出力および上記集光シートからの出力は、晴天状態、曇天状態、または夜間状態中にほぼ一定の照明を発生するように制御可能であってもよい。
【００２１】
出力の特性は、電子的に制御することができる。例えば、出力は、天候および昼間であるかにほとんど左右されずに、所定のルーメンの照明を発生するように制御することができる。出力は、エネルギー消費を節減するように所定のルーメンの照明を発生するように制御することができる。
【００２２】
特定の一実施形態では、デバイスは、使用時に補足される上記色の２つ以上の発光デバイスを含む。
【００２３】
次に、特定の実施形態を、添付図面を参照して単なる例として説明する。
【００２４】
［特定の実施形態の詳細な説明］
最初に図１（ａ）および図１（ｂ）を参照して、ここで、第１の実施形態によるハイブリッド照明システム１０を説明する。図１は、集光シート１２および導光体１３を示す。集光シート１２および導光体１３は、対面接合される。集光シート１２および導光体１３は、透明プラスチック材料からなり、集光シート１２は、入射日光を吸収して蛍光放射を放出する染料分子が添加されている。
【００２５】
一般に、集光シート１２は、米国特許第６０５９４３８号明細書に開示されているものと類似している。当該特許は、このような平坦なシートを３つ含むシステムを開示している。３つのシートは、互いに積み重ねられており、染料分子を添加した高分子材料からなる。染料分子は、特定波長の太陽光を吸収し、続いて、わずかにより長い波長を有する蛍光を放出する。第１シートには、青色発光染料分子が添加され、第２シートには、緑色発光染料分子が添加され、第３シートには、赤色または橙赤発光染料分子が添加される。発生した蛍光は、集光シート内での内部全反射によって導かれ、また、赤色、緑色および青色蛍光を組み合わせることによって、白色光を発生することができる。
【００２６】
図１に示す例では、集光シート１２は、入射光（incoming radiation）を吸収し、続いて緑色光を放出する染料分子が添加され、緑色光は、発光ダイオードが発生する光により補足される。１つの発光ダイオード（ＬＥＤ）１４が青色光を放出し、１つのＬＥＤ１６が赤色光を放出する。ＬＥＤ１４および１６からの光は、プリズム１８および２０によって導光体１３に結合される。ＬＥＤ１４および１６は、電源（図示せず）により駆動され、使用時には、染料分子が放出する緑色蛍光と共に白色光が発生するように、電力が制御される。ＬＥＤ１４および１６は、他の結合手段を用いて導光体に結合してもよいことは理解されるであろう。
【００２７】
この実施形態の一変形形態では、シート１２は集光シートのスタックである。例えば、このスタックは、緑色光と青色光または赤色光の一方とを放出するように構成される集光シートを含んでもよい。この場合、１つの電気駆動式の発光デバイスのみが放出される蛍光を補足する。
【００２８】
さらなる一例として、図２（ａ）および図２（ｂ）は、第２の実施形態によるハイブリッド照明システムを示す。ハイブリッド照明システム２０は、光ファイバ２６によって導光体２２に結合されるＬＥＤ２４を示す。導光体２２は、集光シート２３に接続される。図２（ｂ）は、この実施形態の一変形形態を示す。この図は、光ケーブル２８の形態で設けられる導光体に結合されるハイブリッド照明システム２７を示す。ＬＥＤ２４は、光ファイバ２６によって光ケーブル２８に結合される。光ケーブル２８は、カプラ２９によって集光シート２５に接続される。カプラ２９は、ほぼ平坦なシート２５からの光を光ケーブル２８に結合させるように構成され、オーストラリア仮特許出願第２００２９５２２７６号明細書からの優先権を主張する「光伝送コンポーネント（A light transfer component）」と題する本出願人の同時係属中の特許出願において説明されている。
【００２９】
図３（ａ）および図３（ｂ）は、ハイブリッド照明システム３０が、集光シート３３に結合される導光体３２を備える、第３の実施形態を示す。ＬＥＤ３４が導光体３２に結合され、集光シート３３において発生されて導光体３２を通って導かれる蛍光を補足するように構成される。
【００３０】
図４は、ハイブリッド照明システム４０が、集光シート４３に結合される導光体４２を備える、第４の実施形態を示す。ＬＥＤ４４は、導光体４２に埋め込まれる。この場合、ＬＥＤ４４は、太陽電池４８により供給される電荷を蓄積するバッテリー４６により駆動される。
【００３１】
集光システムは、複数の集光シートおよびＬＥＤを備え、これらは図５（ａ）および図５（ｂ）に示す第５の実施形態に関連する。この実施形態では、ハイブリッド照明システム５０は、赤色蛍光、緑色蛍光、および青色蛍光をそれぞれ放出するように構成される各集光シート（図示せず）に接続される、導光体５２、５４、および５６を備える。ＬＥＤ５８、６０、および６２は、導光体５２、５４、および５６に埋め込まれ、同様に赤色光、緑色光、および青色光を放出するように構成される。この場合、集光シート５２、５４、および５６を用いて昼間に照明を提供することができ、ＬＥＤを用いて夜間に照明を提供することができる。
【００３２】
別法として、集光シートの１つまたは複数を、ＬＥＤの１つまたは複数とともに用いることができる。この実施形態の特定の一変形形態では、ＬＥＤは、各導光体の一端に取り付けられるとともに照明目的で光を放出する照明器具と並べて（または照明器具内に）配置される。いずれの場合も、ＬＥＤは、蛍光およびＬＥＤ光が混合されるように配置される。
【００３３】
上述の実施形態の特定の一変形形態では、ＬＥＤは、上記導光体の一端に取り付けられるとともに照明目的で光を放出する照明器具と並べて（または照明器具内に）配置される。このようなシステムの一部を図６（ａ）に示す。この実施形態では、ハイブリッド照明システム６３は、赤色蛍光および緑色蛍光を放出するように構成される各集光シート（図示せず）に接続される、導光体６４を備える。導光体６４は、光ジョイント６５によって照明器具６６に接続される。通常、照明器具６６の形状は、出光面（exit surface）の断面積が入光面（entry surface）の断面積よりも大きくなるように選択される。米国特許第６２７２２６５号明細書は、これにより、この形状でない場合は閉じ込められてしまう蛍光放射を光学システムから放出することが容易になり得ることを教示している。ＬＥＤ６７は、蛍光およびＬＥＤ光が混合されるように配置される。通常、蛍光およびＬＥＤ光は、照明器具内で混合される。この実施形態の特定の一変形形態では、ＬＥＤは照明器具内に配置することができる。通常の一実施形態では、ＬＥＤ６７は、導光体６４からの赤色蛍光および緑色蛍光と組み合わせて白色光を発生する強度およびスペクトル分布の青色光を放出する。場合によっては、照明器具６６は、拡散材料から製造されてもよい。適切な材料は、５ミクロン〜５０ミクロンのサイズ範囲の架橋ポリメタクリル酸メチル（cross-linked PMMA）の粒子を添加したポリメタクリル酸メチル（ＰＭＭＡ）である。
【００３４】
この実施形態の一変形形態では、導光体６４は、集光シートである。集光シートは、専用の導光体と比較して著しく低い蛍光発光の光透過率を有する傾向がある。したがって、この実施形態は、太陽放射が集光される位置と光が照明器具６６から放出される場所との間に長い距離を必要とするような状況には適していない。この実施形態の利点は、個別の導光体（複数可）と集光シート（複数可）との間にジョイント（複数可）が不要であることである。
【００３５】
一代替実施形態を図６（ｂ）に示す。この実施形態では、ハイブリッド照明システム７０は、赤色蛍光および緑色蛍光を放出するように構成される集光シート（図示せず）に接続される、光ケーブル７１を備える。光ケーブル７１からの光は、反射側面と光ケーブル７１の反対端にある拡散板７４とを有する、ほぼ円錐形の照明器具７３に入る。ＬＥＤ７２は、蛍光およびＬＥＤ光が混合されるように配置される。オプションの拡散板７４は、出力の混合度および均一度を向上させる。拡散板７４に適した材料は、５ミクロン〜５０ミクロンのサイズ範囲の架橋ＰＭＭＡの粒子を添加したＰＭＭＡである。通常の一実施形態では、ＬＥＤ７２は、光ケーブル７１からの赤色蛍光および緑色蛍光と組み合わせて白色光を発生する強度およびスペクトル分布の青色光を放出する。この実施形態の一変形形態では、光ケーブル７１は１つまたは複数の集光シートである。
【００３６】
一代替実施形態を図６（ｃ）に示す。この実施形態では、ハイブリッド照明システム８０は、赤色蛍光および緑色蛍光を放出するように構成される集光シート（図示せず）に接続される、光ケーブル８１を備える。光ケーブル８１からの光は、光ジョイント８３を介して混合ユニット（mixer unit）８２に入る。ＬＥＤ８４は、蛍光およびＬＥＤ光が混合されるように配置される。米国特許第６２７２２６５号明細書は、混合ユニット８２において散乱材料を用いることにより、この材料を用いない場合は閉じ込められてしまう蛍光放射を光学システムから放出することが容易になり得ることを教示している。混合ユニット８２の構造は、オーストラリア仮特許出願第２００２９５１４６５号明細書からの優先権を主張する「光放出デバイス（Light Emitting Device）」と題する同時係属中の特許出願において説明されている。混合ユニット８２に適した材料は、５ミクロン〜５０ミクロンのサイズ範囲の架橋ＰＭＭＡの粒子を添加したＰＭＭＡである。通常、ＬＥＤ８４は、光ケーブル８１からの赤色蛍光および緑色蛍光と組み合わせて白色光を発生する強度およびスペクトル分布の青色光を放出する。
【００３７】
別法として、光ケーブル８１は、緑色光集光シートのみからの光等、任意の色の光を導くことができることは理解されるであろう。この場合、ＬＥＤ８４は、青色光および赤色光を放出するように構成される。光ケーブル８１は、緑色光および青色光集光シートからの光を導くこともでき、この場合、ＬＥＤ８４は、赤色光を放出するように構成される。
【００３８】
この実施形態の一変形形態では、光ケーブル８１は、１つまたは複数の集光シートである。
【００３９】
本発明は、特定の例を参照して説明してきたが、本発明を多くの他の形態で具現できることは当業者には理解されるであろう。例えば、各集光シート１２、２３、２５、３３、４３、５２、５４、および５６は、同じタイプまたは異なるタイプの発光染料分子を添加することができる集光シートのスタックの１つであってもよい。同様に、複数の導光体６４のスタックは、単一の導光体であってもよい。さらに、本ハイブリッド照明システムは、ＬＥＤ以外の電気駆動式の発光デバイスを備えていてもよい。さらに、各発光ダイオード１４、１６、２４、３４、４４、５８、６０、６２、６７、７２、および８４は、複数の発光ダイオードのうちの１つであってもよい。図示の例では、各ＬＥＤは、レンズを備えるパッケージの形態で設けられる。別法として、ＬＥＤは、レンズを備えなくてもよいことが理解されるであろう。ＬＥＤ光は、例えば、ＬＥＤと導光体との間に配置される補助レンズを用いて、導光体に結合することができる。導光体は、平坦なシートの形態で設けられなくてもよいことも理解されるであろう。さらに、光ケーブルは、円形の断面形状を有さなくてもよく、代替的に矩形形状等の任意の他の適当な断面形状を有してもよいことは理解されるであろう。例えば、光ケーブル７１および８１は、平坦なシートの形態であってもよい。
【００４０】
さらに、ハイブリッド照明システム５０は、任意の数の集光シートを備えていてもよい。さらに、電気駆動式の発光デバイスは、任意の適当な手段を用いて、導光体または集光シート自体に光学的に連結されてもよい。
【００４１】
米国特許第６０５９４３８号明細書、米国特許第６２７２２６５号明細書、「光伝送コンポーネント（A light transfer component）」と題する本出願人の同時係属中の特許出願、およびオーストラリア仮特許出願第２００２９５１４６５号明細書に対する参照は、これら文献が当該技術分野、オーストラリア、または任意の他の国における共通の一般知識の一部をなしていることを認めるものではない。
【図面の簡単な説明】
【００４２】
【図１（ａ）】第１の実施形態によるハイブリッド照明システムの斜視図を示す。
【図１（ｂ）】第１の実施形態によるハイブリッド照明システムの斜視図を示す。
【図２（ａ）】第２の実施形態によるハイブリッド照明システムの斜視図を示す。
【図２（ｂ）】第２の実施形態によるハイブリッド照明システムの斜視図を示す。
【図３（ａ）】第３の実施形態によるハイブリッド照明システムの斜視図を示す。
【図３（ｂ）】第３の実施形態によるハイブリッド照明システムの斜視図を示す。
【図４】第４の実施形態によるハイブリッド照明システムの斜視図を示す。
【図５（ａ）】第５の実施形態によるハイブリッド照明システムの斜視図を示す。
【図５（ｂ）】第５の実施形態によるハイブリッド照明システムの斜視図を示す。
【図６（ａ）】さらなる実施形態によるハイブリッド照明システムの斜視図を示す。
【図６（ｂ）】さらなる実施形態によるハイブリッド照明システムの部分断面図を示す。
【図６（ｃ）】さらなる実施形態によるハイブリッド照明システムの側面図を示す。
2006506774.tif 000003
2006506774.tif 000004
2006506774.tif 000005
【図４】
2006506774.tif 000006
2006506774.tif 000007
2006506774.tif 000008
【国際調査報告】
2006506774.tif 000009
2006506774.tif 000010
2006506774.tif 000011